(57)【要約】【課題】無線タグラベルの作成のために必要な操作者の負担を大きく低減し、簡単にタグラベル作成を行うことができるタグテープ、タグテープロール、無線タグ回路素子カートリッジ、及びタグラベル作成装置を提供する【解決手段】情報を記憶するＩＣ回路部１５１とこのＩＣ回路部１５１に接続されるループアンテナ１５２とを備えた無線タグ回路素子Ｔoを複数配置し、操作者が印字内容を可変に設定する可変印字領域Ｓｖと、操作者が固定的に利用可能なテンプレートＳｆとを備えた、無線タグラベルＴの作成のために用いられる基材テープ１０１であって、複数の無線タグ回路素子Ｔoのそれぞれは、ＩＣ回路部１５１に、テンプレートに関わるテンプレート情報を記憶保持する。【選択図】図１５
2008310738.tif 000002
【特許請求の範囲】
【請求項１】
情報を記憶するＩＣ回路部とこのＩＣ回路部に接続されるタグ側アンテナとを備えた無線タグ回路素子を複数配置し、
操作者が印字内容を可変に設定する可変印字領域と、操作者が固定的に利用可能な固定印字領域とを備えた、無線タグラベルの作成のために用いられるタグテープであって、
前記複数の無線タグ回路素子のそれぞれは、前記ＩＣ回路部に、
前記固定印字領域に関わる固定印字領域情報を記憶保持する
ことを特徴とするタグテープ。
【請求項２】
請求項１記載のタグテープにおいて、
前記複数の無線タグ回路素子のそれぞれは、前記ＩＣ回路部に、
前記固定印字領域情報として、操作者が前記可変印字領域への印字内容を設定するために表示させて用いる書式情報を記憶保持する
ことを特徴とするタグテープ。
【請求項３】
請求項２記載のタグテープにおいて、
前記複数の無線タグ回路素子のそれぞれは、前記ＩＣ回路部に、
１種類の前記書式情報を記憶保持する
ことを特徴とするタグテープ。
【請求項４】
請求項３記載のタグテープにおいて、
前記複数の無線タグ回路素子のそれぞれは、前記ＩＣ回路部に、
互いに共通の前記１種類の書式情報を記憶保持する
ことを特徴とするタグテープ。
【請求項５】
請求項３記載のタグテープにおいて、
前記複数の無線タグ回路素子のうち少なくとも１つは、前記ＩＣ回路部に、
他の無線タグ回路素子とは異なる種類の前記１種類の書式情報を記憶保持する
ことを特徴とするタグテープ。
【請求項６】
請求項１乃至請求項５のいずれか１項記載のタグテープにおいて、
前記可変印字領域及び前記固定印字領域を形成するための、被印字層を有することを特徴とするタグテープ。
【請求項７】
請求項１乃至請求項５のいずれか１項記載のタグテープにおいて、
前記可変印字領域及び前記固定印字領域を形成するための被印字テープを貼り合わせる貼り合わせ用粘着剤層を有することを特徴とするタグテープ。
【請求項８】
情報を記憶するＩＣ回路部とこのＩＣ回路部に接続されるタグ側アンテナとを備えた無線タグ回路素子を複数配置し、操作者が印字内容を可変に設定する可変印字領域と、操作者が固定的に利用可能な固定印字領域とを備えた、無線タグラベルの作成のために用いられるタグテープを、テープ長手方向に直交する軸の周りに巻回したタグテープロールであって、
前記タグテープに備えられた前記複数の無線タグ回路素子のそれぞれは、前記ＩＣ回路部に、
前記固定印字領域に関わる固定印字領域情報を記憶保持する
ことを特徴とするタグテープロール。
【請求項９】
請求項８記載のタグテープロールにおいて、
前記タグテープに備えられた前記複数の無線タグ回路素子のそれぞれは、前記ＩＣ回路部に、
前記固定印字領域情報として、操作者が前記可変印字領域への印字内容を設定するために表示させて用いる書式情報を記憶保持する
ことを特徴とするタグテープロール。
【請求項１０】
請求項９記載のタグテープロールにおいて、
前記タグテープは、
前記可変印字領域及び前記固定印字領域を形成するための、被印字層を有することを特徴とするタグテープロール。
【請求項１１】
請求項９記載のタグテープロールにおいて、
前記タグテープは、
前記可変印字領域及び前記固定印字領域を形成するための被印字テープを貼り合わせる貼り合わせ用粘着剤層を有することを特徴とするタグテープロール。
【請求項１２】
情報を記憶するＩＣ回路部とこのＩＣ回路部に接続されるタグ側アンテナとを備えた無線タグ回路素子を複数配置し、操作者が印字内容を可変に設定する可変印字領域と、操作者が固定的に利用可能な固定印字領域とを備えた、無線タグラベルの作成のために用いられるタグテープを、テープ長手方向に直交する軸の周りに巻回したタグテープロールを備えた無線タグ回路素子カートリッジであって、
前記タグテープに備えられた前記複数の無線タグ回路素子のそれぞれは、前記ＩＣ回路部に、
前記固定印字領域に関わる固定印字領域情報を記憶保持する
ことを特徴とする無線タグ回路素子カートリッジ。
【請求項１３】
請求項１２記載の無線タグ回路素子カートリッジにおいて、
前記タグテープに備えられた前記複数の無線タグ回路素子のそれぞれは、前記ＩＣ回路部に、
前記固定印字領域情報として、操作者が前記可変印字領域への印字内容を設定するために表示させて用いる書式情報を記憶保持する
ことを特徴とする無線タグ回路素子カートリッジ。
【請求項１４】
請求項１３記載の無線タグ回路素子カートリッジにおいて、
前記タグテープロールの前記タグテープは、
前記可変印字領域及び前記固定印字領域を形成するための、被印字層を有することを特徴とする無線タグ回路素子カートリッジ。
【請求項１５】
請求項１３記載の無線タグ回路素子カートリッジにおいて、
前記タグテープロールの前記タグテープは、前記可変印字領域及び前記固定印字領域を形成するための被印字テープを貼り合わせる貼り合わせ用粘着剤層を有し、
前記被印字テープを、テープ長手方向に直交する軸の周りに巻回した被印字テープロールを設けた
ことを特徴とする無線タグ回路素子カートリッジ。
【請求項１６】
操作者が印字内容を可変に設定する可変印字領域と、操作者が固定的に利用可能な固定印字領域とを備えた、無線タグラベルを作成するタグラベル作成装置であって、
情報を記憶するＩＣ回路部と情報の送受信を行うタグ側アンテナとを備え、前記ＩＣ回路部に、前記固定印字領域に関わる固定印字領域情報を記憶保持する無線タグ回路素子を配置したタグ媒体を搬送するための搬送手段と、
前記搬送手段で搬送される前記タグ媒体又はこれに貼り合わされる被印字媒体に印字を行う印字手段と、
前記タグ媒体の前記無線タグ回路素子に対し、無線通信を介し情報の送受信を行うアンテナ手段と、
前記アンテナ手段を介し、前記無線タグ回路素子より前記固定印字領域情報を取得する情報取得手段と、
少なくとも、前記情報取得手段で取得された前記固定印字領域情報を用いて、前記印字手段による印字の制御を行う印字制御手段と
を有することを特徴とするタグラベル作成装置。
【請求項１７】
請求項１６記載のタグラベル作成装置において、
前記情報取得手段は、
前記固定印字領域情報として、操作者が前記可変印字領域への印字内容を設定するために表示させて用いる書式情報を前記無線タグ回路素子より取得する
ことを特徴とするタグラベル作成装置。
【請求項１８】
請求項１７記載のタグラベル作成装置において、
前記書式情報の書式に基づく前記固定印字領域を表示するための表示信号を生成し出力する表示信号生成手段を有する
ことを特徴とするタグラベル作成装置。
【請求項１９】
請求項１８記載のタグラベル作成装置において、
前記表示信号生成手段は、
新たに前記情報取得手段で取得した前記書式情報に基づく前記表示信号を順次生成し出力する
ことを特徴とするタグラベル作成装置。
【請求項２０】
請求項１８又は請求項１９記載のタグラベル作成装置において、
前記表示信号に対応した前記固定印字領域を表示するための表示手段を有することを特徴とするタグラベル作成装置。
【請求項２１】
請求項１８乃至請求項２０のいずれか１項記載のタグラベル作成装置において、
前記表示信号に対応した前記可変印字領域への可変印字情報を入力する情報入力手段を有し、
前記印字制御手段は、
前記書式情報と、前記情報入力手段で入力した前記可変印字情報とを用いて、前記印字手段による印字の制御を行う
ことを特徴とするタグラベル作成装置。
【請求項２２】
請求項２１記載のタグラベル作成装置において、
前記可変印字情報を操作入力するための操作手段を有することを特徴とするタグラベル作成装置。
【請求項２３】
請求項１６乃至請求項２２のいずれか１項記載のタグラベル作成装置において、
前記タグ媒体を供給可能な無線タグ回路素子収納体を着脱可能な収納体設置部と、
前記収納体設置部に設置された前記無線タグ回路素子収納体の種類を検出する検出手段と
を有する
ことを特徴とするタグラベル作成装置。
【請求項２４】
請求項１６乃至請求項２３のいずれか１項記載のタグラベル作成装置において、
前記タグ媒体を所定の切断位置で切断する切断手段を有し、
前記アンテナ手段及び前記印字手段は、
前記搬送手段による前記タグ媒体又は前記被印字媒体の搬送方向において前記切断手段より上流側に設けられている
ことを特徴とするタグラベル作成装置。
【請求項２５】
請求項２４記載のタグラベル作成装置において、
前記搬送手段の搬送方向に沿った前記アンテナ手段から前記切断手段までの距離が、前記搬送手段の搬送方向に沿った前記印字手段から前記切断手段までの距離よりも大きくなるように、配置されている
ことを特徴とするタグラベル作成装置。
【発明の詳細な説明】
【技術分野】
【０００１】
本発明は、外部より無線通信を介し情報の読み取り又は書き込みを行える無線タグ回路素子を有するタグテープ、タグテープロール、無線タグ回路素子カートリッジ、及びこれらを用いて無線タグラベルを作成するタグラベル作成装置に関する。
【背景技術】
【０００２】
近年、所定の無線タグ情報を記憶するＩＣ回路部とこのＩＣ回路部に接続されて情報の送受信を行うアンテナとを備えた無線タグ回路素子を有する小型の無線タグとリーダ（読み取り装置）／ライタ（書き込み装置）との間で非接触で情報の読み取り／書き込みを行うＲＦＩＤ（Radio Frequency Identification）システムが提唱されており、様々な分野において実用化されつつある。
【０００３】
上記無線タグの一例である無線タグラベルを作成するタグラベル作成装置の従来技術として、例えば特許文献１に記載のものがある。この従来技術では、カートリッジホルダを用いて設置されるカートリッジのカートリッジ情報を取得し、この取得したカートリッジ情報に応じ、印字手段の印字内容に関して複数設定された固定印字領域（テンプレート）の中から、対応する少なくとも１つの固定印字領域を表示手段（ディスプレイ）に表示させる。これにより、面倒な設定操作を行うことなく、容易に所望のラベルに対する最適な印字を行ってラベルを作成することを可能としている。
【特許文献１】特開２００７−２１７３２号公報
【発明の開示】
【発明が解決しようとする課題】
【０００４】
近年、前述したような無線タグラベルの実用化の進展により、多種多様な態様の無線タグラベルのニーズが増大している。このような多様な印字態様の無線タグラベルを作成するには、上記従来技術のタグラベル作成装置では、作成する無線タグラベルに適したカートリッジを選択して装着し、これにより固定印字領域を選定・指定する必要があった。このため、異なる印字態様の無線タグラベルを作成する都度カートリッジを交換する必要があり、操作者の負担が大きかった。
【０００５】
本発明の目的は、無線タグラベルの作成のために必要な操作者の負担を大きく低減し、簡単にタグラベル作成を行うことができるタグテープ、タグテープロール、無線タグ回路素子カートリッジ、及びタグラベル作成装置を提供することにある。
【課題を解決するための手段】
【０００６】
上記目的を達成するために、第１の発明は、情報を記憶するＩＣ回路部とこのＩＣ回路部に接続されるタグ側アンテナとを備えた無線タグ回路素子を複数配置し、操作者が印字内容を可変に設定する可変印字領域と、操作者が固定的に利用可能な固定印字領域とを備えた、無線タグラベルの作成のために用いられるタグテープであって、前記複数の無線タグ回路素子のそれぞれは、前記ＩＣ回路部に、前記固定印字領域に関わる固定印字領域情報を記憶保持することを特徴とする。
【０００７】
本願第１発明のタグテープにおいては、無線タグ回路素子のＩＣ回路部に対し、タグラベル作成装置側のアンテナ手段から無線通信を介して情報送受信が行われる。また、タグテープ（又はこのタグテープに貼り合わされる被印字テープ）の固定印字領域及び可変印字領域に対しタグラベル作成装置側の印字手段で所定の印字が行われて、（印字付きの）無線タグラベルが作成される。
【０００８】
ここで、無線タグ回路素子のＩＣ回路部には、当該無線タグラベルの印字領域の印字内容情報として固定印字領域情報が記憶されている。これにより、タグラベル作成時において、固定印字領域情報をタグラベル作成装置側で取得し、これを用いて印字を制御することで、その固定印字領域を含む印字をタグテープ（又はこのタグテープに貼り合わされる被印字テープ）に対し行わせることができる。
【０００９】
固定印字領域とは、例えば予め固定的に設定され、それ以外の可変印字領域に操作者が可変に印字情報を設定するだけで、印字領域全体に容易に所望の印字態様を実現できるようにしたものである。本願第１発明においては、上記のように、タグテープの無線タグ回路素子を用いてタグラベルを作成しようとするときに、その無線タグ回路素子に記憶させた固定印字領域情報をそのまま用いて印字手段で印字を行い、無線タグラベルを作成することができる。したがって、ラベル作成の都度、操作者が、印字領域全体の印字態様をすべて新規に設定（印字データをすべて作る）したり、データベース等を検索して固定印字領域を選定・指定したりする等の必要がなくなる。この結果、作成のために必要な操作者の負担を大きく低減し、簡単にタグラベル作成を行うことができる。
【００１０】
第２の発明は、上記第１発明において、前記複数の無線タグ回路素子のそれぞれは、前記ＩＣ回路部に、前記固定印字領域情報として、操作者が前記可変印字領域への印字内容を設定するために表示させて用いる書式情報を記憶保持することを特徴とする。
【００１１】
ラベル作成時に、操作者が、印字領域の書式を新規に設定したり、データベース等を検索して書式を選定・指定したりする等の必要がなくなる。この結果、作成のために必要な操作者の負担を大きく低減し、簡単にラベル作成を行うことができる。
【００１２】
第３の発明は、上記第２発明において、前記複数の無線タグ回路素子のそれぞれは、前記ＩＣ回路部に、１種類の前記書式情報を記憶保持することを特徴とする。
【００１３】
これにより、予め決められた書式を間違いなく活用し、印字してタグラベルを作成することができる。
【００１４】
第４の発明は、上記第３発明において、前記複数の無線タグ回路素子のそれぞれは、前記ＩＣ回路部に、互いに共通の前記１種類の書式情報を記憶保持することを特徴とする。
【００１５】
これにより、１つのタグテープから作成される無線タグラベルに関して、予め決められた書式で間違いなくラベル作成を行うことができる。
【００１６】
第５の発明は、上記第３発明において、前記複数の無線タグ回路素子のうち少なくとも１つは、前記ＩＣ回路部に、他の無線タグ回路素子とは異なる種類の前記１種類の書式情報を記憶保持することを特徴とする。
【００１７】
これにより、１つのタグテープから、書式が異なる複数種類の無線タグラベルを作成することができる。
【００１８】
第６の発明は、上記第１乃至第５発明のいずれかにおいて、前記可変印字領域及び前記固定印字領域を形成するための、被印字層を有することを特徴とする。
【００１９】
被印字層に所定の書式からなる印字を行ったタグテープを用いて、無線タグラベルを作成することができる。
【００２０】
第７の発明は、上記第１乃至第５発明のいずれかにおいて、前記可変印字領域及び前記固定印字領域を形成するための被印字テープを貼り合わせる貼り合わせ用粘着剤層を有することを特徴とする。
【００２１】
所定の書式からなる印字を行った被印字テープを貼り合わせ用粘着剤層を介してタグテープに貼り合わせ、無線タグラベルを作成することができる。また、タグテープとは別の被印字テープに印字を行うようにすることで、無線タグ回路素子の凹凸等の影響を受けることなく良好な印字を行うことができる。
【００２２】
上記目的を達成するために、第８の発明は、情報を記憶するＩＣ回路部とこのＩＣ回路部に接続されるタグ側アンテナとを備えた無線タグ回路素子を複数配置し、操作者が印字内容を可変に設定する可変印字領域と、操作者が固定的に利用可能な固定印字領域とを備えた、無線タグラベルの作成のために用いられるタグテープを、テープ長手方向に直交する軸の周りに巻回したタグテープロールであって、前記タグテープに備えられた前記複数の無線タグ回路素子のそれぞれは、前記ＩＣ回路部に、前記固定印字領域に関わる固定印字領域情報を記憶保持することを特徴とする。
【００２３】
本願第８発明のタグテープロールにおいては、例えばタグラベル作成装置に装着すると、タグテープに備えられた無線タグ回路素子のＩＣ回路部に対し、タグラベル作成装置側のアンテナ手段から無線通信を介して情報送受信が行われる。また、タグテープ（又はこのタグテープに貼り合わされる被印字テープ）の固定印字領域及び可変印字領域に対しタグラベル作成装置側の印字手段で所定の印字が行われて、（印字付きの）無線タグラベルが作成される。
【００２４】
ここで、無線タグ回路素子のＩＣ回路部には、当該無線タグラベルの印字領域の印字内容情報として固定印字領域情報が記憶されている。これにより、タグラベル作成時において、固定印字領域情報をタグラベル作成装置側で取得し、これを用いて印字を制御することで、その固定印字領域を含む印字をタグテープ（又はこのタグテープに貼り合わされる被印字テープ）に対し行わせることができる。
【００２５】
固定印字領域とは、例えば予め固定的に設定され、それ以外の可変印字領域に操作者が可変に印字情報を設定するだけで、印字領域全体に容易に所望の印字態様を実現できるようにしたものである。本願第８発明においては、上記のように、タグテープの無線タグ回路素子を用いてタグラベルを作成しようとするときに、その無線タグ回路素子に記憶させた固定印字領域情報をそのまま用いて印字手段で印字を行い、無線タグラベルを作成することができる。したがって、ラベル作成の都度、操作者が、印字領域全体の印字態様をすべて新規に設定（印字データをすべて作る）したり、データベース等を検索して固定印字領域を選定・指定したりする等の必要がなくなる。この結果、作成のために必要な操作者の負担を大きく低減し、簡単にタグラベル作成を行うことができる。
【００２６】
また、ロール化することによって複数の無線タグ回路素子を搭載したタグテープをコンパクトに収納でき、取り扱い性がよくなる。
【００２７】
第９の発明は、上記第８発明において、前記タグテープに備えられた前記複数の無線タグ回路素子のそれぞれは、前記ＩＣ回路部に、前記固定印字領域情報として、操作者が前記可変印字領域への印字内容を設定するために表示させて用いる書式情報を記憶保持することを特徴とする。
【００２８】
ラベル作成時に、操作者が、印字領域の書式を新規に設定したり、データベース等を検索して書式を選定・指定したりする等の必要がなくなる。この結果、作成のために必要な操作者の負担を大きく低減し、簡単にラベル作成を行うことができる。
【００２９】
第１０の発明は、上記第９発明において、前記タグテープは、前記可変印字領域及び前記固定印字領域を形成するための、被印字層を有することを特徴とする。
【００３０】
ロールから繰り出したタグテープの被印字層に所定の書式からなる印字を行い、これを用いて無線タグラベルを作成することができる。
【００３１】
第１１の発明は、上記第９発明において、前記タグテープは、前記可変印字領域及び前記固定印字領域を形成するための被印字テープを貼り合わせる貼り合わせ用粘着剤層を有することを特徴とする。
【００３２】
ロールから繰り出したタグテープに対し、所定の書式からなる印字を行った被印字テープを貼り合わせ用粘着剤層を介して貼り合わせ、無線タグラベルを作成することができる。また、タグテープとは別の被印字テープに印字を行うようにすることで、無線タグ回路素子の凹凸等の影響を受けることなく良好な印字を行うことができる。
【００３３】
上記目的を達成するために、第１２の発明は、情報を記憶するＩＣ回路部とこのＩＣ回路部に接続されるタグ側アンテナとを備えた無線タグ回路素子を複数配置し、操作者が印字内容を可変に設定する可変印字領域と、操作者が固定的に利用可能な固定印字領域とを備えた、無線タグラベルの作成のために用いられるタグテープを、テープ長手方向に直交する軸の周りに巻回したタグテープロールを備えた無線タグ回路素子カートリッジであって、前記タグテープに備えられた前記複数の無線タグ回路素子のそれぞれは、前記ＩＣ回路部に、前記固定印字領域に関わる固定印字領域情報を記憶保持することを特徴とする。
【００３４】
本願第１２発明の無線タグ回路素子カートリッジにおいては、例えばタグラベル作成装置に装着すると、タグテープロールから繰り出されたタグテープに備えられた無線タグ回路素子のＩＣ回路部に対し、タグラベル作成装置側のアンテナ手段から無線通信を介して情報送受信が行われる。また、タグテープ（又はこのタグテープに貼り合わされる被印字テープ）の固定印字領域及び可変印字領域に対しタグラベル作成装置側の印字手段で所定の印字が行われて、（印字付きの）無線タグラベルが作成される。
【００３５】
ここで、無線タグ回路素子のＩＣ回路部には、当該無線タグラベルの印字領域の印字内容情報として固定印字領域情報が記憶されている。これにより、タグラベル作成時において、固定印字領域情報をタグラベル作成装置側で取得し、これを用いて印字を制御することで、その固定印字領域を含む印字をタグテープ（又はこのタグテープに貼り合わされる被印字テープ）に対し行わせることができる。
【００３６】
固定印字領域とは、例えば予め固定的に設定され、それ以外の可変印字領域に操作者が可変に印字情報を設定するだけで、印字領域全体に容易に所望の印字態様を実現できるようにしたものである。本願第１２発明においては、上記のように、タグテープの無線タグ回路素子を用いてタグラベルを作成しようとするときに、その無線タグ回路素子に記憶させた固定印字領域情報をそのまま用いて印字手段で印字を行い、無線タグラベルを作成することができる。したがって、ラベル作成の都度、操作者が、印字領域全体の印字態様をすべて新規に設定（印字データをすべて作る）したり、データベース等を検索して固定印字領域を選定・指定したりする等の必要がなくなる。この結果、作成のために必要な操作者の負担を大きく低減し、簡単にタグラベル作成を行うことができる。
【００３７】
また、カートリッジ化することによって複数の無線タグ回路素子を搭載したタグテープを容易にタグラベル作成装置側に着脱でき取り扱い性がよくなり、また交換も容易となる。さらに、タグテープの種類に関する情報をカートリッジよりタグラベル作成装置側で取得することも可能となる。
【００３８】
第１３の発明は、上記第１２発明において、前記タグテープに備えられた前記複数の無線タグ回路素子のそれぞれは、前記ＩＣ回路部に、前記固定印字領域情報として、操作者が前記可変印字領域への印字内容を設定するために表示させて用いる書式情報を記憶保持することを特徴とする。
【００３９】
ラベル作成時に、操作者が、印字領域の書式を新規に設定したり、データベース等を検索して書式を選定・指定したりする等の必要がなくなる。この結果、作成のために必要な操作者の負担を大きく低減し、簡単にラベル作成を行うことができる。
【００４０】
第１４の発明は、上記第１３発明において、前記タグテープロールの前記タグテープは、前記可変印字領域及び前記固定印字領域を形成するための、被印字層を有することを特徴とする。
【００４１】
タグテープロールから繰り出したタグテープの被印字層に所定の書式からなる印字を行い、これを用いて無線タグラベルを作成することができる。
【００４２】
第１５の発明は、上記第１３発明において、前記タグテープロールの前記タグテープは、前記可変印字領域及び前記固定印字領域を形成するための被印字テープを貼り合わせる貼り合わせ用粘着剤層を有し、前記被印字テープを、テープ長手方向に直交する軸の周りに巻回した被印字テープロールを設けたことを特徴とする。
【００４３】
タグテープロールから繰り出したタグテープに対し、被印字テープロールから繰り出され所定の書式からなる印字を行った被印字テープを貼り合わせ用粘着剤層を介して貼り合わせ、無線タグラベルを作成することができる。また、タグテープとは別の被印字テープに印字を行うようにすることで、無線タグ回路素子の凹凸等の影響を受けることなく良好な印字を行うことができる。
【００４４】
上記目的を達成するために、第１６の発明は、操作者が印字内容を可変に設定する可変印字領域と、操作者が固定的に利用可能な固定印字領域とを備えた、無線タグラベルを作成するタグラベル作成装置であって、情報を記憶するＩＣ回路部と情報の送受信を行うタグ側アンテナとを備え、前記ＩＣ回路部に、前記固定印字領域に関わる固定印字領域情報を記憶保持する無線タグ回路素子を配置したタグ媒体を搬送するための搬送手段と、前記搬送手段で搬送される前記タグ媒体又はこれに貼り合わされる被印字媒体に印字を行う印字手段と、前記タグ媒体の前記無線タグ回路素子に対し、無線通信を介し情報の送受信を行うアンテナ手段と、前記アンテナ手段を介し、前記無線タグ回路素子より前記固定印字領域情報を取得する情報取得手段と、少なくとも、前記情報取得手段で取得された前記固定印字領域情報を用いて、前記印字手段による印字の制御を行う印字制御手段とを有することを特徴とする。
【００４５】
本願第１６発明のタグラベル作成装置においては、搬送手段で搬送されるタグ媒体に備えられた無線タグ回路素子のＩＣ回路部に対し、アンテナ手段から無線通信を介して情報送受信が行われる。また、タグ媒体（又はこのタグ媒体に貼り合わされる被印字媒体）に対し印字手段で所定の印字が行われて、（印字付きの）無線タグラベルが作成される。
【００４６】
このとき、無線タグ回路素子のＩＣ回路部には、当該無線タグラベルの印字領域の印字内容情報として固定印字領域情報が記憶されている。タグラベル作成時には、アンテナ手段を介し、情報取得手段によって固定印字領域情報が取得され、これを用いて印字制御手段で印字手段による印字動作が制御され、その取得された固定印字領域を含む印字をタグ媒体（又はこのタグ媒体に貼り合わされる被印字媒体）に対し行う。
【００４７】
固定印字領域とは、例えば予め固定的に設定され、それ以外の可変印字領域に操作者が可変に印字情報を設定するだけで、印字領域全体に容易に所望の印字態様を実現できるようにしたものである。本願第１６発明においては、上記のように、タグ媒体の無線タグ回路素子を用いてタグラベルを作成しようとするときに、その無線タグ回路素子に記憶させた固定印字領域情報をそのまま用いて印字手段で印字を行い、無線タグラベルを作成することができる。したがって、ラベル作成の都度、操作者が、印字領域全体の印字態様をすべて新規に設定（印字データをすべて作る）したり、データベース等を検索して固定印字領域を選定・指定したりする等の必要がなくなる。この結果、作成のために必要な操作者の負担を大きく低減し、簡単にタグラベル作成を行うことができる。
【００４８】
第１７の発明は、上記第１６発明において、前記情報取得手段は、前記固定印字領域情報として、操作者が前記可変印字領域への印字内容を設定するために表示させて用いる書式情報を前記無線タグ回路素子より取得することを特徴とする。
【００４９】
これにより、ラベル作成時に、操作者が、印字領域の書式を新規に設定したり、データベース等を検索して書式を選定・指定したりする等の必要がなくなる。この結果、作成のために必要な操作者の負担を大きく低減し、簡単にラベル作成を行うことができる。
【００５０】
第１８の発明は、上記第１７発明において、前記書式情報の書式に基づく前記固定印字領域を表示するための表示信号を生成し出力する表示信号生成手段を有することを特徴とする。
【００５１】
これにより、情報取得手段で取得した書式情報の書式に沿う形で、タグラベル作成装置外の表示手段（又はタグラベル作成装置内に備えられた表示手段）に、固定印字領域を表示させることができる。この結果、操作者は、書式を明確に認識することができるとともに、その書式に沿って印字領域の残りの可変印字領域部分への印字内容を設定すれば足りるので、利便性を向上することができる。
【００５２】
第１９の発明は、上記第１８発明において、前記表示信号生成手段は、新たに前記情報取得手段で取得した前記書式情報に基づく前記表示信号を順次生成し出力することを特徴とする。
【００５３】
これにより、タグ媒体に備えられている無線タグ回路素子を複数個順次使用して複数の無線タグラベルを作成するときに、各ラベルの作成の都度確実に書式情報を取得しながら信頼性の高い印字を行うことができる。また、ＩＣ回路部に記憶している書式情報が異なる複数の無線タグ回路素子を用いて続けて無線タグラベルの作成を行う場合でも、確実に、それぞれの無線タグ回路素子に対応した正しい書式を表示し、これを用いて印字を行うことができる。
【００５４】
第２０の発明は、上記第１８又は第１９発明において、前記表示信号に対応した前記固定印字領域を表示するための表示手段を有することを特徴とする。
【００５５】
情報取得手段で取得した書式情報の書式に沿う形で、タグラベル作成装置内に備えられた表示手段に、固定印字領域を表示させることができる。またタグラベル作成装置が表示手段を備えることで、タグラベル作成装置以外に別体の表示手段を用意する必要がない。
【００５６】
第２１の発明は、上記第１８乃至第２０発明のいずれかにおいて、前記表示信号に対応した前記可変印字領域への可変印字情報を入力する情報入力手段を有し、前記印字制御手段は、前記書式情報と、前記情報入力手段で入力した前記可変印字情報とを用いて、前記印字手段による印字の制御を行うことを特徴とする。
【００５７】
表示手段（又はタグラベル作成装置内に備えられた表示手段）に表示した固定印字領域を元に操作者が設定した、残りの可変印字領域部分への印字内容を情報入力手段で入力し、これを元に印字制御手段で印字手段を制御し印字を行う。これにより、無線タグ回路素子に記憶した書式情報に沿った固定印字領域と操作者の意図する可変印字領域とからなる印字領域への印字を実現することができる。
【００５８】
第２２の発明は、上記第２１発明において、前記可変印字情報を操作入力するための操作手段を有することを特徴とする。
【００５９】
表示手段（又はタグラベル作成装置内に備えられた表示手段）に表示した固定印字領域を元に、操作者が操作手段を介し設定した、残りの可変印字領域部分への印字内容を情報入力手段で入力し、これを元に印字制御手段で印字手段を制御し印字を行うことができる。またタグラベル作成装置が操作手段を備えることで、タグラベル作成装置以外に別体の操作手段を用意する必要がない。
【００６０】
第２３の発明は、請求項１６乃至請求項２２のいずれか１項記載のタグラベル作成装置において、前記タグ媒体を供給可能な無線タグ回路素子収納体を着脱可能な収納体設置部と、前記収納体設置部に設置された前記無線タグ回路素子収納体の種類を検出する検出手段とを有することを特徴とする。
【００６１】
タグ媒体を収納体化（カートリッジ化やロール化）することにより、無線タグ回路素子を搭載したタグ媒体を容易にタグラベル作成装置側に着脱でき取り扱い性がよくなり、また交換も容易となる。また、検出手段における無線タグ回路素子収納体の種類の検出結果に基づき、タグ媒体や無線タグ回路素子の種類・属性情報等を取得し、それらに適した印字や通信を行うことが可能となる。
【００６２】
第２４の発明は、上記第１６乃至第２３発明のいずれかにおいて、前記タグ媒体を所定の切断位置で切断する切断手段を有し、前記アンテナ手段及び前記印字手段は、前記搬送手段による前記タグ媒体又は前記被印字媒体の搬送方向において前記切断手段より上流側に設けられていることを特徴とする。
【００６３】
搬送手段で搬送されるタグ媒体に備えられた無線タグ回路素子のＩＣ回路部に対し、アンテナ手段から無線通信を介して情報送受信が行われる。また、タグ媒体（又はこのタグ媒体に貼り合わされる被印字媒体）に対し印字手段で所定の印字が行われる。このようにして無線タグ回路素子への情報送受信、及び印字が終了したタグ媒体（又は被印字媒体）を切断手段で切断し、印字付きの無線タグラベルが作成される。このとき、アンテナ手段及び印字手段のいずれもが切断手段よりも搬送方向上流側に設けられていることにより、搬送方向においてアンテナ手段を印字手段よりも上流側に配置することが可能となる。この結果、アンテナ手段での通信を介して情報取得手段によって固定印字領域情報を取得し、その取得した固定印字領域情報を用い結果に基づき印字手段による印字を開始したときに、タグ媒体（又は被印字媒体）における印字開始位置を、無線タグ回路素子位置よりも搬送方向前端側に確実に位置させることができる。この結果、搬送されるタグ媒体の前端部を切断して無線タグラベルを完成させるとき、テープ等のタグ媒体の前端側から印字開始位置ぎりぎりのところで切断したとしても、無線タグ回路素子は印字開始位置よりも後端側（搬送方向上流側）にあるため、無線タグ回路素子が誤って切断されるのを確実に防止することができる。
【００６４】
第２５の発明は、上記第２４発明において、前記搬送手段の搬送方向に沿った前記アンテナ手段から前記切断手段までの距離が、前記搬送手段の搬送方向に沿った前記印字手段から前記切断手段までの距離よりも大きくなるように、配置されていることを特徴とする。
【００６５】
すなわち、切断手段の位置を基準として、アンテナ手段までの搬送方向距離のほうが印字手段までの搬送方向距離よりも大きい。すなわち、搬送方向においてアンテナ手段が印字手段よりも上流側に配置されている。これにより、アンテナ手段での通信を介して情報取得手段によって固定印字領域情報を取得し、その取得した固定印字領域情報を用い結果に基づき印字手段による印字を開始したときに、タグ媒体（又は被印字媒体）における印字開始位置を、無線タグ回路素子位置よりも搬送方向前端側に確実に位置させることができる。
【発明の効果】
【００６６】
本発明によれば、無線タグラベルの作成のために必要な操作者の負担を大きく低減し、簡単にタグラベル作成を行うことができる。
【発明を実施するための最良の形態】
【００６７】
以下、本発明の一実施形態を図面を参照しつつ説明する。
【００６８】
図１は、本実施形態のラベル作成装置を備えたラベル生成システムを表すシステム構成図である。
【００６９】
図１に示すこのラベル生成システムＬＳにおいて、ラベル作成装置１（タグラベル作成装置）は、有線あるいは無線による通信回線ＮＷを介してＰＣ１１８に接続されている。上記ＰＣ１１８は、液晶ディスプレイ等の表示部１１８ａ及びキーボードやマウス等である操作部１１８ｂを有しており、上記ラベル作成装置１により無線タグラベルＴを作成する際にテンプレートＳｆ（詳細は後述）の選択や印字内容（テキスト等）の編集等を行うことが可能である。
【００７０】
図２は、上記ラベル作成装置１の全体構造を表す斜視図である。
【００７１】
図２において、ラベル作成装置１は、上記ＰＣ１１８からの操作に基づき、無線タグ回路素子Ｔoを備えた基材テープを用いて印字付き無線タグラベルＴの作成を行ったり、無線タグ回路素子Ｔoを備えない通常の基材テープを用いて通常ラベルＬの作成を行うものである。
【００７２】
ラベル作成装置１は、外郭に略六面体（略立方体）形状の筐体２００を有する装置本体２と、この装置本体２の上面に開閉可能（又は着脱可能としてもよい）に設けられた開閉蓋３とを有している。
【００７３】
装置本体２の筐体２００は、装置前方側（図２中、左手前側）に位置し、作成された無線タグラベルＴを外部に排出するラベル排出口１１を備えた前壁１０と、この前壁１０のうちラベル排出口１１の下方に設けられ下端が回動可能に支持された前蓋１２とを備えている。
【００７４】
前蓋１２は押部１３を備えており、この押部１３を上方より押し込むことで前蓋１２が前方に開放されるようになっている。また、前壁１０の一端部には、ラベル作成装置１の電源のオン・オフを行う電源ボタン１４が設けられている。この電源ボタン１４の下方には、装置本体２内に配設された切断機構１５（後述の図３参照）を操作者の手動操作で駆動するためのカッタ駆動ボタン９０が設けられている。
【００７５】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００７６】
図３は、ラベル作成装置１の内部の内部ユニット２０の構造を表す斜視図である。図３において、内部ユニット２０は、概略的には、カートリッジ７（無線タグ回路素子カートリッジ、無線タグ回路素子収納体）を収納するカートリッジホルダ６（収納体設置部）と、印字手段としての印字ヘッド（サーマルヘッド）２３を備えた印字機構２１と、固定刃４０及び可動刃４１を備えた切断機構（切断手段）１５と、固定刃４０及び可動刃４１のテープ搬送方向下流側に位置し、ハーフカッタ３４を備えたハーフカットユニット３５（半切断手段）とが設けられている。
【００７７】
カートリッジ７の上面には、例えば、カートリッジ７内に内蔵されている上記基材テープ１０１のテープ幅、テープの色等を表示するテープ特定表示部８が設けられている。また、カートリッジ７には、カートリッジホルダ６に設けられ、基材テープ１０１に備えられた無線タグ回路素子Ｔoに対し情報送受信可能に構成されたループアンテナＬＣ（後述の図４参照）及び基材テープ１０１に設けられた識別マークＰＭ（後述の図５参照）を検出するマークセンサ１２７（後述の図４参照）を挿入するために貫通孔１６が形成されている。また、カートリッジホルダ６には、ローラホルダ２５が支持軸２９により回動可能に枢支され、切換機構により印字位置（後述の図４参照）とリリース位置とに切換可能とされている。このローラホルダ２５には、プラテンローラ２６及びテープ圧接ローラ２８が回転可能に配設されており、ローラホルダ２５が上記印字位置に切り換えられたときに、それらプラテンローラ２６及びテープ圧接ローラ２８が上記印字ヘッド２３及びテープ送りローラ２７に対し圧接されるようになっている。
【００７８】
印字ヘッド２３は多数の発熱素子を備えており、カートリッジホルダ６に立設されたヘッド取付部２４に取り付けられている。
【００７９】
切断機構１５は、固定刃４０と、金属部材で構成された可動刃４１とを備えている。カッターモータ４３（後述の図６参照）の駆動力が、カッターハスバギヤ４２、ボス５０、長孔４９を介して可動刃４１の柄部４６に伝達されて可動刃が回転し、固定刃４０とともにカット動作を行う。この切断状態は、カッターハスバギヤ用カム４２Ａの作用により切り替わるマイクロスイッチ１２６により検出される。
【００８０】
ハーフカットユニット３５は、受け台３８とハーフカッタ３４とが対向して配置され、さらにガイド固定部３６Ａにより第１ガイド部３６と第２ガイド部３７とが側板４４（後述の図４参照）に取り付けられている。ハーフカッタ３４は、所定の回動支点（図示せず）を中心として、ハーフカッタモータ１２９（後述の図６参照）の駆動力によって回動する。受け台３８の端部には受け面３８Ｂが形成されている。
【００８１】
図４は、図３に示した内部ユニット２０の構造を表す平面図である。図４において、上記カートリッジホルダ６は、カートリッジ７のテープ排出部３０より排出されさらに上記ラベル排出口１１から排出される印字済みタグラベル用テープ１０９の幅方向の向きが、鉛直上下方向となるようにカートリッジ７を収納する。
【００８２】
また、内部ユニット２０には、ラベル排出機構２２と、ループアンテナＬＣ（アンテナ手段）とが設けられている。上記ループアンテナＬＣは、カートリッジ７に設けられた上記貫通孔１６からカートリッジ７の内部側（図４中右側）に向かって通信可能領域を備え、基材テープ１０１に備えられた無線タグ回路素子Ｔoに対し情報送受信可能に構成されている。また、上記ループアンテナＬＣの略中心部には、基材テープ１０１に設けられた識別マークＰＭ（後述の図５参照）を検出するマークセンサ１２７（検出手段）が設けられている。これらループアンテナＬＣ及びマークセンサ１２７は、カートリッジホルダ６にカートリッジ７が装着された際に、カートリッジ７に形成された上記貫通孔１６に挿入され、基材テープ１０１の搬送面に対向するようになっている。
【００８３】
ラベル排出機構２２は、切断機構１５において切断された後の印字済みタグラベル用テープ１０９（言い換えれば無線タグラベルＴ、以下同様）をラベル排出口１１（図２参照）より排出するものである。すなわちラベル排出機構２２は、テープ排出モータ１２３（後述の図６参照）の駆動力により回転する駆動ローラ５１と、この駆動ローラ５１に対して印字済みタグラベル用テープ１０９を挟んで対向する押圧ローラ５２とを有している。このとき、上記ラベル排出口１１の内側には、印字済みタグラベル用テープ１０９をラベル排出口１１及びループアンテナＬＣへ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９（無線タグラベルＴ）の排出位置において、互いに所定の間隔を隔てられるように配置されている。
【００８４】
なお、テープ送りローラ駆動軸（搬送手段）１０８及びリボン巻取りローラ駆動軸１０７は、印字済みタグラベル用テープ１０９及びインクリボン１０５（後述）の搬送駆動力をそれぞれ与えるものであり、互いに連動して回転駆動される。
【００８５】
図５は、上記カートリッジ７の詳細構造を模式的に表す拡大平面図である。
【００８６】
図５において、カートリッジ７は、筐体７Ａと、この筐体７Ａ内に配置され帯状の基材テープ１０１が巻回された第１ロール１０２（実際は渦巻き状であるが、図では簡略的に同心円状に示す）と、上記基材テープ１０１と略同じ幅である透明なカバーフィルム１０３（被印字テープ、被印字媒体）が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のリボン１０５を巻取るリボン巻取りローラ１０６と、カートリッジ７のテープ排出部３０の近傍に回転可能に支持されたテープ送りローラ２７とを有する。なお、上記基材テープ１０１が特許請求の範囲各項記載のタグテープ及びタグ媒体を構成する。
【００８７】
テープ送りローラ２７は、上記基材テープ１０１と上記カバーフィルム１０３とを押圧し接着させ上記印字済みタグラベル用テープ１０９としつつ、図５中矢印Ａで示す方向にテープ送りを行う（＝圧着ローラとしても機能する）。
【００８８】
第１ロール１０２（タグテープロール）は、リール部材１０２ａの周りに、長手方向に複数の無線タグ回路素子Ｔoが所定の等間隔（固定ピッチ）で順次形成された上記基材テープ１０１を巻回している。基材テープ１０１はこの例では４層構造となっており（図５中部分拡大図参照）、内側に巻かれる側（図５中右側）よりその反対側（図５中左側）へ向かって、適宜の粘着材からなる粘着層１０１ａ（貼り合わせ用粘着剤層）、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００８９】
ベースフィルム１０１ｂの裏側（図５中左側）には、ループコイル形状に構成され情報の送受信を行うループアンテナ１５２がこの例では一体的に設けられており、これに接続するように情報を記憶するＩＣ回路部１５１が形成され、これらによって無線タグ回路素子Ｔoが構成されている。
【００９０】
ベースフィルム１０１ｂの表側（図５中右側）には、後にカバーフィルム１０３を接着するための上記粘着層１０１ａが形成され、またベースフィルム１０１ｂの裏側（図５中左側）には、無線タグ回路素子Ｔoを内包するように設けた上記粘着層１０１ｃによって上記剥離紙１０１ｄがベースフィルム１０１ｂに接着されている。
【００９１】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各無線タグ回路素子Ｔoに対応した所定の位置（この例では、搬送方向におけるループアンテナ１５２の略中心位置）に、搬送制御用の所定の識別マーク（この例では黒塗りの識別マーク。あるいはレーザ加工等により基材テープ１０１を貫通する孔を穿孔する等でもよい。又はトムソン型での加工穴等でもよい）ＰＭが予め設けられている。
【００９２】
第２ロール１０４（被印字テープロール）は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド２３に押圧されることで当該カバーフィルム１０３の裏面に当接させられるようになっている。
【００９３】
リボン巻取りローラ１０６及びテープ送りローラ２７は、それぞれカートリッジ７外に設けた例えばパルスモータである搬送用モータ１１９（図３及び後述の図６参照）の駆動力が図示しないギヤ機構を介し上記リボン巻取りローラ駆動軸１０７及びテープ送りローラ駆動軸（搬送手段）１０８に伝達されることによって連動して回転駆動される。なお、上記印字ヘッド２３は、上記切断機構１５及びテープ送りローラ２７よりカバーフィルム１０３の搬送方向上流側に配置されている。
【００９４】
ループアンテナＬＣ及びマークセンサ１２７は、上述したようにカートリッジホルダ６にカートリッジ７が装着された際にカートリッジ７に形成された上記貫通孔１６に挿入され、基材テープ１０１の剥離紙１０１ｄに対向するようになっている。これにより、マークセンサ１２７で基材テープ１０１の剥離紙１０１ｄに設けられた上記識別マークＰＭを検出可能となっている。なお、ループアンテナＬＣ及びマークセンサ１２７は、上記切断機構１５より基材テープ１０１の搬送方向上流側に配置されている。具体的には、基材テープ１０１（印字済みタグラベル用テープ１０９）の搬送方向に沿ったループアンテナＬＣ（及びマークセンサ１２７）から切断機構１５までの距離Ｌ１が、カバーフィルム１０３（印字済みタグラベル用テープ１０９）の搬送方向に沿った上記印字ヘッド２３から切断機構１５までの距離Ｌ２よりも大きくなるように、配置されている。
【００９５】
なお、上記において、マークセンサ１２７が識別マークＰＭを検出した際に印字ヘッド２３に対向するカバーフィルム１０３の位置（以下「印字前端位置」という）が、貼り合わされて印字済みタグラベル用テープ１０９となった際に、無線タグ回路素子Ｔoよりも先端側（搬送方向下流側）に位置するようにするために、無線タグ回路素子Ｔoのループアンテナ１５２のテープ搬送方向長さｔを考慮するようにしてもよい。この場合、距離Ｌ１＋１／２ｔが距離Ｌ２よりも大きくなるようにすればよい。
【００９６】
上記構成において、上記第１ロール１０２より繰り出された基材テープ１０１は、テープ送りローラ２７へと供給される。このとき、上記ループアンテナＬＣにより基材テープ１０１に備えられる無線タグ回路素子Ｔoに情報読み取り又は書き込みが行われるとともに、マークセンサ１２７により基材テープ１０１の剥離紙１０１ｄに設けられた上記識別マークＰＭが検出される。一方、第２ロール１０４より繰り出されるカバーフィルム１０３は、その裏面側（すなわち上記基材テープ１０１と接着される側）に配置されリボン供給側ロール２１１とリボン巻取りローラ１０６とにより駆動されるインクリボン１０５が、上記印字ヘッド２３に押圧されて当該カバーフィルム１０３の裏面に当接させられる。
【００９７】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が図５中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図６参照）により印字ヘッド２３の複数の発熱素子が通電される。この結果、カバーフィルム１０３の裏面に、貼り合わせ対象となる基材テープ１０１上の無線タグ回路素子Ｔoに対応した印字（後述の図１５参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０（図４参照）よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００９８】
また、上記カートリッジ７の筐体７Ａは被検出部１９０（例えば凹凸形状等の識別子）を有しており、カートリッジホルダ６の上記被検出部１９０に対応する位置には、カートリッジセンサ８１が設けられている。このカートリッジセンサ８１（検出手段）は、カートリッジ７の装着状態を検出するとともにカートリッジ７の種類に関するカートリッジ情報を検出するものであり、このカートリッジセンサ８１の検出信号が制御回路１１０（後述の図６参照）へ入力されることで、制御回路１１０はカートリッジ７の装着の有無及び上記カートリッジ情報を取得できるようになっている。なお、上記カートリッジ情報には、カートリッジ７が無線タグ回路素子Ｔoを有する無線タグラベルＴ作成用のカートリッジか否か、無線タグ回路素子Ｔoを有する場合には基材テープ１０１内における無線タグ回路素子Ｔoの配置間隔、テープ幅、テープ種類（カバーフィルム１０３を貼り付けるいわゆるラミネートタイプかそれ以外のタイプか）、無線タグ回路素子Ｔoに記憶されたテンプレート情報（上記テンプレートＳｆの書式に関わる情報）が複数であるか否か等の情報が含まれる。
【００９９】
なお、上記カートリッジセンサ８１としては、メカニカルスイッチ等の機械的検出を行うものや、光学的検出を行うセンサ、磁気的検出を行うセンサ等を用いてもよいし、リーダ機能を有するセンサとし、カートリッジ７の筐体７Ａに設けたカートリッジ用の無線タグ回路素子から無線通信を介して無線タグ情報を読み取るようにしてもよい。
【０１００】
そして、上述のように貼り合わされて生成された印字済みタグラベル用テープ１０９に対し、自動的にあるいは上記カッター駆動ボタン９０（図２参照）を操作することにより切断機構１５によって印字済みタグラベル用テープ１０９が切断され、無線タグラベルＴが生成される。この無線タグラベルＴは、その後さらに上記ラベル排出機構２２によってラベル排出口１１（図２、図４参照）から排出される。
【０１０１】
なお上記では、無線タグ回路素子Ｔoを有する無線タグラベルＴを作成するためのタグカートリッジ（無線タグ回路素子カートリッジ）の詳細構造を説明したが、無線タグ回路素子Ｔoを有しない通常ラベルＬを作成するための通常カートリッジの構造についても、基材テープが無線タグ回路素子Ｔoを有しない点を除き上記タグカートリッジと同等の構成となっている。
【０１０２】
図６は、本実施形態のラベル作成装置１の制御系を表す機能ブロック図である。なお、図中に示す矢印は信号の流れの一例を示すものであり、信号の流れ方向を限定するものではない。
【０１０３】
図６において、このラベル作成装置１の制御基板（図示せず）上には、制御回路１１０が配置されている。
【０１０４】
制御回路１１０には、各機器を制御するＣＰＵ１１１と、このＣＰＵ１１１にデータバス１１２を介して接続された入出力インタフェース１１３と、ＣＧＲＯＭ１１４と、ＲＯＭ１１５，１１６と、ＲＡＭ１１７とが設けられている。
【０１０５】
ＲＯＭ１１６には、上記ＰＣ１１８からの操作入力信号に対応させて、印字バッファのデータを読み出して上記印字ヘッド２３、搬送用モータ１１９、テープ排出モータ６５を駆動する印字駆動制御プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、無線タグ回路素子Ｔoに対する問いかけ信号や書き込み信号などのアクセス情報を生成して送信回路に出力する送信プログラム、受信回路から入力された応答信号などを処理する受信プログラム、その他ラベル作成装置１の制御上必要な各種のプログラムが格納されている。ＣＰＵ１１１は、このようなＲＯＭ１１６に記憶されている各種プログラムに基づいて各種の演算を行う。
【０１０６】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）が行われた情報取得用無線タグ回路素子Ｔo（前述）のタグ識別情報（タグＩＤ）等が記憶される。
【０１０７】
入出力インタフェース１１３には、ＰＣ１１８と、印字ヘッド２３を駆動するための上記印刷駆動回路１２０と、搬送用モータ１１９を駆動するための搬送用モータ駆動回路１２１と、カッターモータ４３を駆動するためのカッターモータ駆動回路１２２と、ハーフカッタモータ１２９を駆動するためのハーフカッタモータ駆動回路１２８と、テープ排出モータ６５を駆動するためのテープ排出モータ駆動回路１２３と、上記ループアンテナＬＣを介して無線タグ回路素子Ｔoにアクセスする(読取り／書込みを行う)ための搬送波を発生させるとともに、上記制御回路１１０から入力される制御信号に基づいて上記搬送波を変調して質問波を出力する送信回路３０６と、無線タグ回路素子Ｔoから上記ループアンテナＬＣを介して受信された応答波の復調を行い、上記制御回路１１０に出力する受信回路３０７と、識別マークＰＭを検出する上記マークセンサ１２７と、上記カートリッジ７の装着状態を検出する上記カートリッジセンサ８１と、カッタ駆動ボタン９０とが接続されている。また、上記送信回路３０６及び受信回路３０７は、アンテナ共用器２４０を介してループアンテナＬＣに接続されている。
【０１０８】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６が制御回路１１０からの制御信号に基づき搬送波の変調制御を行い質問波を出力するとともに、受信回路３０７は制御回路１１０からの制御信号に基づき復調した信号の処理を行う。
【０１０９】
図７は、上記無線タグ回路素子Ｔoの機能的構成を表す機能ブロック図である。なお、図中に示す矢印は信号の流れの一例を示すものであり、信号の流れ方向を限定するものではない。
【０１１０】
この図７において、無線タグ回路素子Ｔoは、ラベル作成装置１側のループアンテナＬＣと磁気誘導により非接触で信号の送受信を行う上記ループアンテナ１５２（タグ側アンテナ）と、このループアンテナ１５２に接続された上記ＩＣ回路部１５１とを有している。
【０１１１】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７と、上記ループアンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【０１１２】
変復調部１５８は、ループアンテナ１５２により受信された上記ラベル作成装置１のループアンテナＬＣからの通信信号の復調を行うと共に、上記制御部１５５からの応答信号に基づき、ループアンテナ１５２より受信された質問波を変調反射し応答波として返信する。
【０１１３】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【０１１４】
なお、本実施形態においては、ラベル作成装置１により作成される無線タグラベルＴの印字領域Ｓが、操作者が固定的に利用可能なテンプレートＳｆと、操作者が印字内容（テキスト等）を可変に設定可能な可変印字領域Ｓｖとを備えている（後述の図１５参照）。そして、各無線タグラベルＴに対応する各無線タグ回路素子ＴoのＩＣ回路部１５１の上記メモリ部１５７には、操作者が上記可変印字領域Ｓｖへの印字内容を設定するためにＰＣ１１８の表示部１１８ａに表示させて用いる１種類又は複数種類の上記テンプレートＳｆに関するテンプレート情報が予め書き込まれている。なお、このテンプレート情報が特許請求の範囲各項記載の固定印字領域に関わる固定印字領域情報に相当すると共に、操作者が可変印字領域への印字内容を設定するために表示させて用いる書式情報に相当する。
【０１１５】
図８は、上記構成であるラベル生成システムＬＳにおいて無線タグラベルＴを作成する際に、ラベル作成装置１の制御回路１１０によって実行される制御内容を表すフローチャートである。
【０１１６】
まずステップＳ１０３では、カートリッジホルダ６にカートリッジ７が装着されたか否かを、カートリッジセンサ８１からの検出信号に基づき判定する。カートリッジ７が装着されるまで本ステップを繰り返し、装着された場合には判定が満たされて次のステップＳ１０５に移る。
【０１１７】
ステップＳ１０５では、カートリッジセンサ８１からの検出信号に基づき、装着されたカートリッジ７に関するカートリッジ情報を取得する。このカートリッジ情報には、前述したように、カートリッジ７が無線タグ回路素子Ｔoを有する無線タグラベルＴ作成用のカートリッジか否か、無線タグ回路素子Ｔoの配置間隔、テープ幅、テープ種類、無線タグ回路素子Ｔoにテンプレート情報が複数記憶されているか否か等の情報が含まれる。
【０１１８】
次のステップＳ１０７では、上記ステップＳ１０５で取得したカートリッジ情報に基づき、カートリッジホルダ６に装着されたカートリッジ７が、無線タグ回路素子Ｔoを有するタグカートリッジであるか、又は無線タグ回路素子Ｔoを有しない通常カートリッジであるかを判定する。通常カートリッジである場合には、ステップＳ２００に移り、通常ラベルＬを作成する通常ラベル作成処理を行って本フローを終了する。一方、タグカートリッジである場合には、判定が満たされて次のステップＳ１１０に移る。
【０１１９】
ステップＳ１１０において、入出力インターフェース１１３を介し入力されたマークセンサ１２７の検出信号に基づき、基材テープ１０１に備えられる無線タグ回路素子Ｔoが装置側のループアンテナＬＣとの通信位置に到達しているか否か（言い換えれば無線タグ回路素子ＴoがループアンテナＬＣと正対する位置まで到達したかどうか）を判定する。通信位置に到達している場合には、判定が満たされて後述するステップＳ３００に直接移る。一方、通信位置に到達していない場合には、判定が満たされずに次のステップＳ１１３に移る。
【０１２０】
ステップＳ１１３では、入出力インターフェース１１３を介し搬送用モータ駆動回路１２１に制御信号を出力し、搬送用モータ１１９の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済みタグラベル用テープ１０９として形成され搬送される。
【０１２１】
次のステップＳ１１５では、上記ステップＳ１１０と同様に、入力されたマークセンサ１２７の検出信号に基づき基材テープ１０１に備えられる無線タグ回路素子Ｔoが装置側のループアンテナＬＣとの通信位置に到達しているか否かを判定する。通信位置に到達していない場合には、判定が満たされずに先のステップＳ１１３に戻る。一方、通信位置に到達している場合には、判定が満たされて次のステップＳ１１７に移る。
【０１２２】
ステップＳ１１７では、テープ送りローラ２７、リボン巻取りローラ１０６、駆動ローラ５１の回転を停止して印字済みタグラベル用テープ１０９の搬送を停止する。これにより、フルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。そして、カッタモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）するフルカットを行う。なおこのとき、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記分断により生成された余白部分がラベル排出口１１へ向かって搬送され、ラベル排出口１１から装置外へと排出される。
【０１２３】
次のステップＳ３００では、タグアクセス処理（詳細は後述の図９参照）を行う。すなわち、ループアンテナＬＣと基材テープ１０１に備えられた無線タグ回路素子Ｔoとの間で情報送受信を行い、情報の読み取り又は書き込みを行う。このとき、無線タグ回路素子Ｔoに記憶された上記テンプレート情報の読み取りも行われる。
【０１２４】
次のステップＳ４００では、無線タグ回路素子Ｔoに１つのテンプレート情報が記憶されている場合にはそのテンプレート情報に対応するテンプレートをＰＣ１１８の表示部１１８ａに表示させ、複数のテンプレート情報が記憶されている場合には操作者により選択されたテンプレート情報に対応するテンプレートをＰＣ１１８の表示部１１８ａに表示させるテンプレート表示・選択処理（詳細は後述の図１０参照）を行う。
【０１２５】
次のステップＳ１２０では、操作者がＰＣ１１８の表示部１１８ａに表示させたテンプレートを参照しつつ操作部１１８ｂを介して入力した印刷データ（テキストデータ、ラベル長等）を通信回線ＮＷ及び入出力インターフェース１１３を介して入力する。なお、ここでは操作者がテキスト以外にラベル長についても入力するようにしているが、これに限られず、操作者により入力されたテキストに基づいて印字長及びラベル長を自動的に算出するようにしてもよい。
【０１２６】
次のステップＳ１２３では、上記ステップＳ１２０で入力したラベル長と先のステップＳ１０５で取得したカートリッジ情報中の無線タグ回路素子Ｔoの配置間隔とを比較して、入力したラベル長がタグ配置間隔以下であるか否かを判定する。入力したラベル長がタグ配置間隔より大きい場合には、判定が満たされずに次のステップＳ１２５に移る。
【０１２７】
ステップＳ１２５では、入出力インターフェース１１３及び通信回線ＮＷを介してＰＣ１１８に制御信号を出力し、表示部１１８ａにラベル長エラーを表すエラー表示（例えば「ラベルが長すぎます」「テキストを減らしてください」等）を行わせる。その後、次のステップＳ１２７で入出力インターフェース１１３及び通信回線ＮＷを介してＰＣ１１８に制御信号を出力し、表示部１１８ａにテキスト又はラベル長の再入力を促す再入力依頼表示（例えば「テキストを再入力してください」「ラベル長を修正してください」等）を行わせる。そして、先のステップＳ１２０に戻る。
【０１２８】
一方、先のステップＳ１２３で入力したラベル長がタグ配置間隔以下である場合には、判定が満たされて次のステップＳ１３０に移る。
【０１２９】
ステップＳ１３０では、操作者が印字開始指令を入力したか否かを、その入力に対応する印字開始指令信号がＰＣ１１８から通信回線ＮＷ及び入出力インターフェース１１３を介して入力されたか否かにより判定する。指令信号が入力されるまで本ステップを繰り返し、入力された場合には判定が満たされて次のステップＳ１３３に移る。
【０１３０】
ステップＳ１３３では、上記ステップＳ１１３と同様にしてテープ搬送を開始すると共に、入出力インターフェース１１３を介し印刷駆動回路１２０に制御信号を出力し、印字ヘッド２３を通電して、カバーフィルム１０３に先のステップＳ４００で選択（又は表示）されたテンプレート及びステップＳ１２０で入力した印刷データに対応した印刷を開始する。
【０１３１】
次のステップＳ１３５では、基材テープ１０１にカバーフィルム１０３を貼り合わせて生成した印字済みラベル用テープ１０９が前述した印刷終了位置（先のステップＳ１２０で入力した印刷データに基づき算出される。あるいは操作者が印字長を入力するようにしてもよい）まで搬送されたかどうかを判定する。このときの判定は、例えば上記ステップＳ１１０（又はステップＳ１１５）において識別子ＰＭを検出した後の搬送距離を所定の公知の方法で検出することにより行えばよい。印刷終了位置に到達するまで本ステップを繰り返し、到達したら判定が満たされて次のステップＳ１３７に移る。
【０１３２】
ステップＳ１３７では、印字ヘッド２３の通電を停止して印刷を停止する。これによって、カバーフィルム１０３に対する印刷が完了する。
【０１３３】
次のステップＳ１４０では、印字済みタグラベル用テープ１０９がフルカット位置（先のステップＳ１２０で入力したラベル長に基づき算出される）まで搬送されたかどうか（言い換えれば切断機構１５の可動刃４１がフルカット位置に正対する位置まで印字済みタグラベル用テープ１０９が到達したかどうか）を判定する。このときの判定も、前述と同様、例えばステップＳ１１０（又はステップＳ１１５）において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ１４３に移る。
【０１３４】
ステップＳ１４３では、上記ステップＳ１１７と同様にして、テープ送りローラ２７、リボン巻取りローラ１０６、駆動ローラ５１の回転を停止して印字済みタグラベル用テープ１０９の搬送を停止する。これにより、フルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。そして、カッタモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）するフルカットを行う。この切断機構１５による分断によって、無線タグ回路素子Ｔoを有し所定の印字が行われたラベル状の無線タグラベルＴが生成される。
【０１３５】
次のステップＳ１４５では、入力されたマークセンサ１２７の検出信号に基づき、基材テープ１０１に備えられる次の無線タグ回路素子Ｔo（作成した無線タグラベルＴに係る無線タグ回路素子Ｔoに後続する無線タグ回路素子Ｔo）が装置側のループアンテナＬＣとの通信位置に到達しているか否かを判定する。通信位置に到達している場合には、判定が満たされて後述するステップＳ１５５に直接移る。一方、通信位置に到達していない場合には、判定が満たされずに次のステップＳ１４７に移る。
【０１３６】
ステップＳ１４７では、先のステップＳ１１３と同様にしてテープ搬送を開始する。そして次のステップＳ１５０では、上記ステップＳ１４５と同様に、基材テープ１０１に備えられる次の無線タグ回路素子Ｔoが装置側のループアンテナＬＣとの通信位置に到達しているか否かを判定する。通信位置に到達していない場合には、判定が満たされずに先のステップＳ１４７に戻る。一方、通信位置に到達している場合には、判定が満たされて次のステップＳ１５３に移る。
【０１３７】
ステップＳ１５３では、先のステップＳ１１７と同様にしてテープ搬送を停止する。そして、切断機構１５の可動刃４１を回動させて、印字済みタグラベル用テープ１０９を切断（分断）するフルカットを行う。このとき、分断により生成された余白部分がラベル排出口１１へ向かって搬送され、ラベル排出口１１から装置外へと排出される。
【０１３８】
次のステップＳ１５５では、先のステップＳ３００のタグアクセス処理で無線タグ回路素子Ｔoから読み取ったテンプレート情報が１つか否かを判定する。１つである場合には判定が満たされて本フローを終了する。一方、複数である場合には、次のステップＳ１５７に移る。
【０１３９】
ステップＳ１５７では、送信回路３０６に制御信号を出力し、情報書き込み対象の無線タグ回路素子Ｔoのメモリ部１５７に所望のデータを書き込む信号として、所定の変調を行った質問波をループアンテナＬＣを介して情報書き込み対象である基材テープ１０１に備えられる次の無線タグ回路素子Ｔoに送信し、先のステップＳ４００において表示された複数のテンプレートのうち操作者により選択されたテンプレート（後述の図１０参照）を書き込む。これにより、本フローを終了する。
【０１４０】
なお、上記ステップＳ１２０は、特許請求の範囲各項記載の表示信号に対応した可変印字領域への可変印字情報を入力する情報入力手段を構成し、上記ステップＳ１３３は、少なくとも情報取得手段で取得された固定印字領域情報を用いて印字手段による印字の制御を行う印字制御手段を構成する。
【０１４１】
また、上記フローは本発明を上記フローに示す手順に限定するものではなく、発明の趣旨及び技術的思想を逸脱しない範囲内で手順の追加・削除又は順番の変更等をしてもよい。
【０１４２】
図９は上記ステップＳ３００の詳細手順を表すフローチャートである。
【０１４３】
まずステップＳ３１０では、ループアンテナＬＣと無線タグ回路素子Ｔoとの間で無線通信により情報の送受信を行い、無線タグ回路素子ＴoのＩＣ回路部１５１に対し所定のタグ書き込み情報を書き込む（又はＩＣ回路部１５１に予め記憶されていた情報を読み取る）情報送受信処理を行う。具体的には、以下のようにして行われる。
【０１４４】
例えばタグ書き込み情報を書き込む場合には、入出力インターフェース１１３を介し前述の送信回路３０６に制御信号を出力し、無線タグ回路素子Ｔoの記憶されたＩＤ情報を取得するための問合せ信号として、所定の変調を行った質問波をループアンテナＬＣを介して書き込み対象の無線タグ回路素子Ｔoに送信する。その後、上記タグＩＤ読取コマンド信号に対応して書き込み対象の無線タグ回路素子Ｔoから送信されたリプライ信号（タグＩＤを含む）をループアンテナＬＣを介して受信し、受信回路３０７及び入出力インターフェース１１３を介し取り込む。次に、上記受信したリプライ信号に基づき当該無線タグ回路素子Ｔoから読み取ったタグＩＤを指定して該当するタグに所望のデータをメモリ部１５７に書き込む信号として、所定の変調を行った質問波をループアンテナＬＣを介して情報書き込み対象の無線タグ回路素子Ｔoに送信し、情報を書き込む。その後、送信回路３０６に制御信号を出力し上記読み取ったタグＩＤを指定して該当するタグのメモリ部１５７に記録されたデータを読み出す信号として所定の変調を行った質問波をループアンテナＬＣを介して情報書き込み対象の無線タグ回路素子Ｔoに送信し、返信を促す。その後、上記書き込み対象の無線タグ回路素子Ｔoから送信されたリプライ信号をループアンテナＬＣを介して受信し、受信回路３０７を介し取り込む。次に、上記受信したリプライ信号に基づき、当該無線タグ回路素子Ｔoのメモリ部１５７内に記憶された情報を確認し、公知の誤り検出符号（ＣＲＣ符号；Cyclic  Redundancy  Check等）を用いて、前述の送信した所定の情報がメモリ部１５７に正常に記憶されたか否かを判定する。
【０１４５】
なお、上記情報送受信処理において、アクセス（情報書き込み又は読み取り）対象の無線タグ回路素子Ｔoから送信されたリプライ信号には、作成される無線タグラベルＴの使用時に用いられる無線タグ情報（タグＩＤ等）、上記テンプレート情報、及び前述のステップＳ１５７において先行する無線タグ回路素子Ｔoに書き込まれた、複数のテンプレートのうち操作者により選択されたテンプレートに係るテンプレート情報が含まれる。
【０１４６】
次のステップＳ３２０では、上記無線タグ回路素子Ｔoから送信されたリプライ信号に基づき、無線タグ回路素子ＴoのＩＣ回路部１５１のメモリ部１５７に記憶された上記テンプレート情報及び先行する無線タグ回路素子Ｔoに書き込まれた、複数のテンプレートのうち操作者により選択されたテンプレートに係るテンプレート情報を取得する。以上により本ルーチンを終了する。
【０１４７】
なお、上記ステップＳ３２０は、特許請求の範囲各項記載のアンテナ手段を介し無線タグ回路素子より固定印字領域情報を取得する情報取得手段を構成する。
【０１４８】
また、上記フローは本発明を上記フローに示す手順に限定するものではなく、発明の趣旨及び技術的思想を逸脱しない範囲内で手順の追加・削除又は順番の変更等をしてもよい。
【０１４９】
図１０は上記ステップＳ４００の詳細手順を表すフローチャートである。
【０１５０】
まずステップＳ４１０では、上記ステップＳ３２０で無線タグ回路素子Ｔoから取得したテンプレート情報が１種類であるか否かを判定する。１種類である場合には判定が満たされて次のステップＳ４２０に移り、入出力インターフェース１１３及び通信回線ＮＷを介してＰＣ１１８に制御信号を出力し、表示部１１８ａに当該取得したテンプレートを表示させる。そして、本ルーチンを終了する。
【０１５１】
一方、上記ステップＳ４１０においてテンプレート情報が複数種類である場合には、判定が満たされずに次のステップＳ４３０に移る。
【０１５２】
ステップＳ４３０では、前回作成した無線タグラベルＴはラベル作成装置１のカートリッジホルダ６に現在装着されているカートリッジ７を用いて作成されたか否か（言い換えれば前回無線タグラベルＴを作成した後カートリッジ７を交換したか否か）を判定する。前回作成した無線タグラベルＴが現在カートリッジホルダ６に装着されているカートリッジ７を用いて作成されていない（言い換えれば前回無線タグラベルＴを作成した後カートリッジ７を交換した）場合には、判定が満たされずにステップＳ４４０に移る。
【０１５３】
ステップＳ４４０では、入出力インターフェース１１３及び通信回線ＮＷを介してＰＣ１１８に制御信号を出力し、表示部１１８ａに前述のステップＳ３２０で取得した複数のテンプレートを表示させる。そして後述のステップＳ４６０に移る。
【０１５４】
一方、上記ステップＳ４３０において、前回作成した無線タグラベルＴが現在カートリッジホルダ６に装着されているカートリッジ７を用いて作成されている（言い換えれば前回無線タグラベルＴを作成した後カートリッジ７を交換していない）場合には、判定が満たされて次のステップＳ４５０に移る。
【０１５５】
ステップＳ４５０では、入出力インターフェース１１３及び通信回線ＮＷを介してＰＣ１１８に制御信号を出力し、表示部１１８ａに前述のステップＳ３２０で取得した複数のテンプレートを表示させる。このとき、前回のタグラベル作成時に使用したテンプレート（前述のステップＳ１５７において複数のテンプレートのうち操作者により選択されたテンプレートに係るテンプレート情報が無線タグ回路素子Ｔoに書き込まれており、この選択されたテンプレート情報が前述のステップＳ３２０において取得されている）を優先的に表示（例えば複数のテンプレートの先頭、又は画面最上部若しくは画面最左部等に表示）させる。そして次のステップＳ４６０に移る。
【０１５６】
ステップＳ４６０では、操作者がＰＣ１１８の表示部１１８ａに表示された複数のテンプレートの中から所望のテンプレートを選択したか否かを、その入力に対応する選択信号がＰＣ１１８から通信回線ＮＷ及び入出力インターフェース１１３を介して入力されたか否かにより判定する。選択信号が入力されるまで本ステップを繰り返し、入力された場合には判定が満たされて次のステップＳ４７０に移る。
【０１５７】
ステップＳ４７０では、入出力インターフェース１１３及び通信回線ＮＷを介してＰＣ１１８に制御信号を出力し、表示部１１８ａに上記ステップＳ４６０で選択されたテンプレートを表示させる。そして本ルーチンを終了する。
【０１５８】
なお、上記ステップＳ４２０は、特許請求の範囲各項記載の書式情報の書式に基づく固定印字領域を表示するための表示信号を生成し出力する表示信号生成手段を構成する。
【０１５９】
また、上記フローは本発明を上記フローに示す手順に限定するものではなく、発明の趣旨及び技術的思想を逸脱しない範囲内で手順の追加・削除又は順番の変更等をしてもよい。
【０１６０】
図１１（ａ）〜図１１（ｆ）は上記テンプレートＳｆの一例を表す図である。
【０１６１】
これら図１１（ａ）〜図１１（ｆ）に示すものは、例えば資材管理に使用する無線タグラベルＴを作成する場合に用いられるテンプレートである。これらにおいて、テンプレートＳｆは予め固定的に設定され、それ以外の可変印字領域Ｓｖに操作者が可変に印字情報（テキスト）を設定することにより、印字領域全体に容易に所望の印字態様を実現できるようになっている。なお、基材テープ１０１に備えられる複数の無線タグ回路素子Ｔoは、例えば上記のテンプレートのうちのいずれか１つのテンプレート情報を互いに共通する１種類のテンプレート情報として記憶保持するようにしてもよいし、また例えば上記のテンプレートのうち少なくとも２種類のテンプレート情報を記憶させ、複数の無線タグ回路素子Ｔoが互いに異なる種類のテンプレート情報を記憶保持するようにしてもよい。
【０１６２】
図１２は上記ステップＳ４４０及びステップＳ４６０におけるＰＣ１１８の表示部１１８ａの表示の一例を表す図であり、図１３は上記ステップＳ４７０におけるＰＣ１１８の表示部１１８ａの表示の一例を表す図である。
【０１６３】
図１２に示すように、無線タグ回路素子ＴoのＩＣ回路部１５１のメモリ部１５７に複数（この例では４つ）のテンプレート情報が記憶されている場合には、それら複数のテンプレートが表示部１１８ａに一度に表示される。そして、操作者がその中から所望のテンプレートを選択すると（図１２はテンプレート３が選択された例を示す）、図１３に示すように選択されたテンプレートが拡大されて表示される。なお、選択されたテンプレートの表示態様はこの図１３に示すものに限られず、例えば図１２に示す表示において選択されたテンプレートの色を変更させる、又は選択されたテンプレート以外のテンプレートを暗転させる等でもよい。
【０１６４】
図１４は、上記ステップＳ４５０において前回のタグラベル作成時に使用したテンプレートを先頭にして複数のテンプレートを表示させた場合のＰＣ１１８の表示部１１８ａの表示の一例を表す図である。
【０１６５】
図１４に示すように、前回のタグラベル作成時にテンプレート３が選択された場合には、そのテンプレート３を先頭（この例では画面左上部）にして複数のテンプレートが表示されるようになっている。なお、この例では画面左上に表示するようにしたが、これに限られず、画面最上部や最左部等、優先的に表示可能な位置であれば他の位置でもよい。
【０１６６】
図１５は、上述のような制御が行われることにより無線タグ回路素子Ｔoの情報書き込み（又は読み取り）、テンプレートＳｆ及び印字可変領域Ｓｖを含む印字領域Ｓの印刷及び印字済みタグラベル用テープ１０９の切断が完了し形成された無線タグラベルＴの外観の一例を表す図であり、図１５（ａ）は上面図、図１５（ｂ）は下面図である。なお、図１５（ｃ）は上記図１５（ａ）の場合と同じテンプレートＳｆを用い、且つ可変印字領域Ｓｖに対し異なる印字内容（この場合では管理番号「０２３４」及び品名「装置Ｂ」）が設定された場合の上面図である。また図１６は、図１５（ａ）中XVI−XVI′断面による横断面図を反時計方向に９０°回転させた図である。なお、上述したように、ここではラベル作成装置１においてカートリッジホルダ６にタグカートリッジが装着され、前述の図１１（ａ）に示すテンプレートＳｆが選択されて作成された無線タグラベルＴを示している。
【０１６７】
これら図１５及び図１６において、無線タグラベルＴは、前述したように図５に示した４層構造にカバーフィルム１０３が加わった５層構造となっており、カバーフィルム１０３側（図１６中上側）よりその反対側（図１６中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含む無線タグ回路素子Ｔoがベースフィルム１０１ｂ及び粘着層１０１ｃ内に備えられるとともに、カバーフィルム１０３の裏面における上記印字領域Ｓ内にテンプレートＳｆ及び可変印字領域Ｓｖに対して設定された印字内容（この場合では管理番号「０１２３」及び品名「装置Ａ」）が印刷されている。
【０１６８】
以上説明した本発明の一実施形態においては、無線タグ回路素子ＴoのＩＣ回路部１５１に対し、ラベル作成装置１側のループアンテナＬＣから無線通信を介して情報送受信が行われる。また、基材テープ１０１に貼り合わされるカバーフィルム１０３の印字領域Ｓに対しラベル作成装置側の印字ヘッド２３で所定の印字が行われて、印字付きの無線タグラベルＴが作成される。
【０１６９】
ここで、無線タグ回路素子ＴoのＩＣ回路部１５１には、当該無線タグラベルＴの印字領域Ｓの印字内容情報としてテンプレート情報が記憶されている。これにより、タグラベル作成時において、テンプレート情報をラベル作成装置１側で取得し、これを用いて印字を制御することで、そのテンプレートＳｆを含む印字をカバーフィルム１０３に対し行わせることができる。
【０１７０】
テンプレートＳｆとは、例えば予め固定的に設定され、それ以外の可変印字領域Ｓｖに操作者が可変に印字情報を設定するだけで、印字領域Ｓ全体に容易に所望の印字態様を実現できるようにしたものである。本実施形態においては、上記のように、基材テープ１０１の無線タグ回路素子Ｔoを用いて無線タグラベルＴを作成しようとするときに、その無線タグ回路素子Ｔoに記憶させたテンプレート情報をそのまま用いて印字ヘッド２３で印字を行い、無線タグラベルＴを作成することができる。したがって、ラベル作成の都度、操作者が、印字領域全体の印字態様をすべて新規に設定（印字データをすべて作る）したり、データベース等を検索してテンプレートＳｆを選定・指定したりする等の必要がなくなる。この結果、作成のために必要な操作者の負担を大きく低減し、簡単にタグラベル作成を行うことができる。
【０１７１】
また、本実施形態では特に、基材テープ１０１に備えられた複数の無線タグ回路素子Ｔoのそれぞれは、ＩＣ回路部１５１に１種類のテンプレート情報を記憶保持する。これにより、予め決められたテンプレートを間違いなく活用し、印字して無線タグラベルＴを作成することができる。
【０１７２】
また、本実施形態では特に、基材テープ１０１に備えられた複数の無線タグ回路素子Ｔoのうち少なくとも１つは、ＩＣ回路部１５１に他の無線タグ回路素子Ｔoとは異なる種類の１種類のテンプレート情報を記憶保持する。これにより、１つの基材テープ１０１から、書式が異なる複数種類の無線タグラベルＴを作成することができる。
【０１７３】
また、本実施形態では特に、可変印字領域Ｓｖ及びテンプレートＳｆを形成するためのカバーフィルム１０３を貼り合わせる粘着層１０１ａを有する。これにより、所定の書式からなる印字を行ったカバーフィルム１０３を粘着層１０１ａを介して基材テープ１０１に貼り合わせ、無線タグラベルＴを作成することができる。また、基材テープ１０１とは別のカバーフィルム１０３に印字を行うようにすることで、無線タグ回路素子Ｔoの凹凸等の影響を受けることなく良好な印字を行うことができる。
【０１７４】
また、本実施形態では特に、帯状の基材テープ１０１を巻回して構成した第１ロール１０２から基材テープ１０１を繰り出して供給する構成とする。このように基材テープ１０１をロール化することによって複数の無線タグ回路素子Ｔoを搭載した基材テープ１０１をコンパクトに収納でき、取り扱い性がよくなる。
【０１７５】
また、本実施形態では特に、カートリッジ７内に帯状の基材テープ１０１を巻回して構成した第１ロール１０２を収納し、このカートリッジ７をカートリッジホルダ６に着脱可能な構成とする。このようにカートリッジ化することによって、複数の無線タグ回路素子Ｔoを搭載した基材テープ１０１を容易にラベル作成装置１側に着脱でき取り扱い性がよくなり、また交換も容易となる。さらに、基材テープ１０１の種類に関する情報をカートリッジ７よりラベル作成装置１側で取得することもできる。
【０１７６】
また、本実施形態では特に、テンプレート情報の書式に基づくテンプレートを表示するための制御信号（表示信号）を生成してＰＣ１１８へ出力する。これにより、無線通信を介してループアンテナＬＣで取得したテンプレート情報の書式に沿う形で、ラベル作成装置１外のＰＣ１１８の表示部１１８ａに、テンプレートを表示させることができる。この結果、操作者は、作成される無線タグラベルＴの書式を明確に認識することができるとともに、その書式に沿って印字領域Ｓの残りの可変印字領域Ｓｖ部分への印字内容を設定すれば足りるので、利便性を向上することができる。
【０１７７】
また、本実施形態では特に、ラベル作成装置１の制御回路１１０からＰＣ１１８に対して新たにループアンテナＬＣで取得したテンプレート情報に基づく制御信号（表示信号）を順次生成し出力する。これにより、基材テープ１０１に備えられている無線タグ回路素子Ｔoを複数個順次使用して複数の無線タグラベルＴを作成するときに、各ラベルの作成の都度確実にテンプレート情報を取得しながら信頼性の高い印字を行うことができる。また、ＩＣ回路部１５１に記憶しているテンプレート情報が異なる複数の無線タグ回路素子Ｔoを用いて続けて無線タグラベルＴの作成を行う場合でも、確実に、それぞれの無線タグ回路素子Ｔoに対応した正しいテンプレートを表示し、これを用いて印字を行うことができる。
【０１７８】
また、本実施形態では特に、ＰＣ１１８の表示部１１８ａに表示したテンプレートを元に操作者が設定した、残りの可変印字領域Ｓｖ部分への印字内容を入力し、これを元に印字ヘッド２３で印字を行う。これにより、無線タグ回路素子Ｔoに記憶したテンプレート情報に沿ったテンプレートＳｆと操作者の意図する可変印字領域Ｓｖとからなる印字領域Ｓへの印字を実現することができる。
【０１７９】
また、本実施形態では特に、ラベル作成装置１がカートリッジ７を着脱可能なカートリッジホルダ６を有することにより、収納体化（カートリッジ化やロール化）した基材テープ１０１を容易にラベル作成装置１側に着脱でき取り扱い性がよくなり、また交換も容易となる。また、ラベル作成装置１がカートリッジホルダ６に装着されたカートリッジ７の種類を検出可能なマークセンサ１２７を有することにより、マークセンサ１２７におけるカートリッジ７の種類の検出結果に基づき、基材テープ１０１や無線タグ回路素子Ｔoの種類・属性情報等を取得し、それらに適した印字や通信を行うことができる。
【０１８０】
また、本実施形態では特に、ループアンテナＬＣ及び印字ヘッド２３が、基材テープ１０１又はカバーフィルム１０３の搬送方向において切断機構１５より上流側に設けられている。この構成による作用効果を以下に説明する。すなわち、搬送される基材テープ１０１に備えられた無線タグ回路素子ＴoのＩＣ回路部１５１に対し、ループアンテナＬＣから無線通信を介して情報送受信が行われる。また、カバーフィルム１０３に対し印字ヘッド２３で所定の印字が行われる。このようにして無線タグ回路素子Ｔoへの情報送受信、及び印字が終了した印字済みタグラベル用テープ１０９を切断機構１５で切断し、印字付きの無線タグラベルＴが作成される。このとき、ループアンテナＬＣ及び印字ヘッド２３のいずれもが切断機構１５よりも搬送方向上流側に設けられていることにより、搬送方向においてループアンテナＬＣを印字ヘッド２３よりも上流側に配置することが可能となる。この結果、ループアンテナＬＣでの通信を介してテンプレート情報を取得し、その取得したテンプレート情報を用い結果に基づき印字ヘッド２３による印字を開始したときに、カバーフィルム１０３における印字開始位置を、無線タグ回路素子Ｔo位置よりも搬送方向前端側に確実に位置させることができる。この結果、搬送される印字済みタグラベル用テープ１０９の前端部を切断して無線タグラベルＴを完成させるとき、印字済みタグラベル用テープ１０９の前端側から印字開始位置ぎりぎりのところで切断したとしても、無線タグ回路素子Ｔoは印字開始位置よりも後端側（搬送方向上流側）にあるため、無線タグ回路素子Ｔoが誤って切断されるのを確実に防止することができる。
【０１８１】
また、本実施形態では特に、基材テープ１０１の搬送方向に沿ったループアンテナＬＣから切断機構１５までの距離が、カバーフィルム１０３の搬送方向に沿った印字ヘッド２３から切断機構１５までの距離よりも大きくなるように、配置されている。すなわち、切断機構１５の位置を基準として、ループアンテナＬＣまでの搬送方向距離のほうが印字ヘッド２３までの搬送方向距離よりも大きい。すなわち、搬送方向においてループアンテナＬＣが印字ヘッド２３よりも上流側に配置されている。これにより、ループアンテナＬＣでの通信を介してテンプレート情報を取得し、その取得したテンプレート情報に基づき印字ヘッド２３による印字を開始したときに、印字済みタグラベル用テープ１０９における印字開始位置を、無線タグ回路素子Ｔo位置よりも搬送方向前端側に確実に位置させることができる。
【０１８２】
なお、本発明は、上記実施形態に限られるものではなく、その趣旨及び技術的思想を逸脱しない範囲内で種々の変形が可能である。以下、そのような変形例を順を追って説明する。
【０１８３】
（１）テープ貼り合わせを行わない場合
上記実施形態では、無線タグ回路素子Ｔoを備えた基材テープ１０１とは別のカバーフィルム１０３に印字を行ってこれらを貼り合わせるいわゆるラミネートタイプのラベルを作成する場合を例にとって説明したが、これに限られず、タグテープに備えられたカバーフィルムに直接印字を行ういわゆるノンラミネートタイプのラベルを作成する場合にも本発明は適用可能である。
【０１８４】
図１７は、この変形例のカートリッジ７′の詳細構造を表す平面図であり、前述の図５に相当する図である。図５等と同等の部分には同一の符号を付し、適宜説明を省略する。
【０１８５】
図１７において、カートリッジ７′は、感熱テープ１０１′（タグテープ、タグ媒体）が巻回された第１ロール１０２′と、この感熱テープ１０１′をカートリッジ７′外部方向にテープ送りをするテープ送りローラ２７′とを有している。
【０１８６】
第１ロール１０２′は、リール部材１０２ａ′の周りに、長手方向に複数の上記無線タグ回路素子Ｔoが順次形成された帯状の透明な上記感熱テープ１０１′を巻回している。第１ロール１０２′に巻き回される感熱テープ１０１′はこの例では３層構造となっており（図１７中部分拡大図参照）、内側に巻かれる側よりその反対側へ向かって、表面に感熱記録層を持つＰＥＴ（ポリエチレンテレフタラート）等から成るカバーフィルム１０１ａ′（被印字層）、適宜の粘着材からなる粘着層１０１ｂ′、剥離紙１０１ｃ′の順序で積層され構成されている。
【０１８７】
カバーフィルム１０１ａ′の裏側には、ループコイル形状に構成され情報の送受信を行う上記ループアンテナ１５２（タグ側アンテナ）がこの例では一体的に設けられており、これに接続するように上記ＩＣ回路部１５１が形成され、これらによって無線タグ回路素子Ｔoが構成されている。カバーフィルム１０１ａ′の裏側には、上記粘着層１０１ｂ′によって上記剥離紙１０１ｃ′がカバーフィルム１０１ａ′に接着されている。また、この剥離紙１０１ｃ′の表面には、上記剥離紙１０１ｄと同様、各無線タグ回路素子Ｔoに対応した所定の位置（この例では、搬送方向におけるループアンテナ１５２の略中心位置）に、搬送制御用の所定の識別子（この例では黒塗りの識別子。あるいはレーザ加工等により、前述と同様、感熱テープ１０１′を略貫通する孔を穿孔する等でもよい）ＰＭが設けられている。
【０１８８】
ループアンテナＬＣ及びマークセンサ１２７は、カートリッジホルダ６の側面に設けられており、上記印字ヘッド２３より感熱テープ１０１′の搬送方向上流側の位置において感熱テープ１０１′の搬送面に対向するように設けられている。なお、この図１７では特に図示していないが、マークセンサ１２７が上記識別子ＰＭを検出可能なように、カートリッジ７′の筐体７Ａ′のマークセンサ１２７に対応する位置には貫通孔が穿設されている。
【０１８９】
カートリッジ７′がカートリッジホルダ６に装着されローラホルダ２５（図１７では図示省略）が離反位置から当接位置に移動されると、感熱テープ１０１′が印字ヘッド２３とプラテンローラ２６との間に狭持されるとともに、テープ送りローラ２７′とサブローラ２８′との間に狭持される。そして、テープ送りローラ２７′、サブローラ２８′、及びプラテンローラ２６が同期して回転し、第１ロール１０２′から感熱テープ１０１′が繰り出される。
【０１９０】
この繰り出された感熱テープ１０１′は、上記ループアンテナＬＣにより感熱テープ１０１′に備えられる無線タグ回路素子Ｔoに情報読み取り又は書き込みが行われるとともに、マークセンサ１２７により感熱テープ１０１′の剥離紙１０１ｃ′に設けられた上記識別マークＰＭが検出され、その搬送方向下流側にある印字ヘッド２３へと供給される。印字ヘッド２３は、その複数の発熱素子が前述の印刷駆動回路１２０（図６参照）により通電され、これにより感熱テープ１０１′のカバーフィルム１０１ａ′の表面の印字領域ＳにテンプレートＳｆ及び可変印字領域Ｓｖに対応して入力された印刷データが印刷され、印字済みタグラベル用テープ１０９′として形成された後、カートリッジ７′外へと搬出される。
【０１９１】
上記以外の構成については、前述の一実施形態と同様であるので説明を省略する。
【０１９２】
本変形例においても、上記一実施形態と同様の効果を得ることができる。
【０１９３】
なお、上記変形例の構成においては、タグテープとして感熱テープを用いることで特にインクリボン等を用いることなく印字ヘッド２３の発熱のみによって印字を行ったが、これに限られず、上記一実施形態のように通常のインクリボンを用いて印字を行うようにしてもよい。
【０１９４】
図１８は、そのような変形例のカートリッジ７″の詳細構造を表す平面図であり、上記図１７や前述の図５に相当する図である。図１７や図５等と同等の部分には同一の符号を付し、適宜説明を省略する。
【０１９５】
図２８において、この変形例のカートリッジ７″は、基材テープ１０１″（タグテープ、タグ媒体）が巻回された第１ロール１０２″を有している。
【０１９６】
第１ロール１０２″は、リール部材１０２ａ″の周りに、長手方向に複数の上記無線タグ回路素子Ｔoが順次形成された帯状の透明な上記基材テープ１０１″を巻回している。
【０１９７】
第１ロール１０２″に巻き回される基材テープ１０１″はこの例では３層構造となっており（図１８中部分拡大図参照）、内側に巻かれる側よりその反対側へ向かって、ＰＥＴ（ポリエチレンテレフタラート）等から成る色付きのベースフィルム１０１ａ″（被印字層）、適宜の粘着材からなる粘着層１０１ｂ″、剥離紙１０１ｃ″の順序で積層され構成されている。
【０１９８】
ベースフィルム１０１ａ″の裏側には、ループコイル形状に構成され情報の送受信を行う上記ループアンテナ１５２（タグ側アンテナ）がこの例では一体的に設けられており、これに接続するように上記ＩＣ回路部１５１が形成され、これらによって無線タグ回路素子Ｔoが構成されている。ベースフィルム１０１ａ″の裏側には、上記粘着層１０１ｂ″によって上記剥離紙１０１ｃ″がベースフィルム１０１ａ″に接着されている。また、この剥離紙１０１ｃ″の表面には、上記と同様、各無線タグ回路素子Ｔoに対応した所定の位置（この例では、搬送方向におけるループアンテナ１５２の略中心位置）に、搬送制御用の所定の識別子（この例では黒塗りの識別子。あるいはレーザ加工等により、前述と同様、基材テープ１０１″を略貫通する孔を穿孔する等でもよい）ＰＭが設けられている。
【０１９９】
ループアンテナＬＣ及びマークセンサ１２７は、前述と同様に、カートリッジホルダ６の側面に設けられており、上記印字ヘッド２３より基材テープ１０１″の搬送方向上流側の位置において基材テープ１０１″の搬送面に対向するように設けられている。なお、この図１８では特に図示していないが、マークセンサ１２７が上記識別子ＰＭを検出可能なように、カートリッジ７″の筐体７Ａ″のマークセンサ１２７に対応する位置には貫通孔が穿設されている。
【０２００】
カートリッジ７″がカートリッジホルダ６に装着されローラホルダ２５（図１８では図示省略）が離反位置から当接位置に移動されると、基材テープ１０１″及びインクリボン１０５が印字ヘッド２３とプラテンローラ２６との間に狭持されるとともに、テープ送りローラ２７′とサブローラ２８′との間に狭持される。そして、テープ送りローラ２７′、サブローラ２８′、及びプラテンローラ２６が同期して回転し、第１ロール１０２″から基材テープ１０１″が繰り出される。
【０２０１】
この繰り出された基材テープ１０１″は、上記ループアンテナＬＣにより基材テープ１０１″に備えられる無線タグ回路素子Ｔoに情報読み取り又は書き込みが行われるとともに、マークセンサ１２７により基材テープ１０１″の剥離紙１０１ｃ″に設けられた上記識別マークＰＭが検出され、その搬送方向下流側にある印字ヘッド２３へと供給される。印字ヘッド２３は、その複数の発熱素子が前述の印刷駆動回路１２０（図６参照）により通電され、これにより基材テープ１０１″のベースフィルム１０１ａ″の表面の印字領域ＳにテンプレートＳｆ及び可変印字領域Ｓｖに対応して入力された印刷データが印刷され、印字済みタグラベル用テープ１０９″として形成された後、カートリッジ７″外へと搬出される。
【０２０２】
上記以外の構成については、前述の一実施形態と同様であるので説明を省略する。
【０２０３】
本変形例においても、上述した図１７の変形例と同様の効果を奏する。
【０２０４】
（２）ラベル作成装置単体がすべての機能を備える場合
上記一実施形態では、をラベル作成装置１と別体であるＰＣ１１８を用いてテンプレートＳｆの選択や印字内容の編集等を行うように構成したが、これに限られず、以上説明したＰＣ１１８の機能をラベル作成装置１に持たせてもよい（いわゆるスタンドアローン型）。この場合、ラベル作成装置１は、各種表示を行う液晶画面等の表示部（表示手段。図示せず）及び操作者が操作入力するためのキー・ボタン等の操作部（操作手段。図示せず）を備えており、その表示部によりテンプレートＳｆの表示等を行い、操作者は上記操作部を用いてテンプレートの選択等を行うことが可能な構成となっている。
【０２０５】
本変形例によれば、上記実施形態におけるＰＣ１１８のようなラベル作成装置１とは別の表示手段及び操作手段が不要となるので、ラベル生成システムＬＳ全体の持ち運びが容易となり、操作者の利便性をさらに向上することができる。
【０２０６】
（３）その他
また、以上においては、基材テープ１０１等を所定位置で停止させて無線タグ情報の読み取り・書き込みを行う例を示したが、これに限られず、移動中の基材テープ１０１に対して無線タグ情報の書き込み・読み取りを行うようにしてもよい。
【０２０７】
また、以上において、印字及び無線タグ回路素子Ｔoへのアクセス（読み取り又は書き込み）の終了した印字済みタグラベル用テープ１０９を切断機構１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０２０８】
さらに、以上は、基材テープ１０１等がリール部材の周りに巻回されてロールを構成し、カートリッジ７内にそのロールが配置されて基材テープ１０１が繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置側のカートリッジホルダに装着して、上記収納部から移送、搬送して印字及び書き込みを行いタグラベルを作成するようにしてもよい。
【０２０９】
さらには上記ロールを直接ラベル作成装置側に着脱可能に装着する構成や、長尺平紙状あるいは短冊状のテープやシートをラベル作成装置外より１枚ずつ所定のフィーダ機構によって移送しラベル作成装置内へ供給する構成も考えられ、さらにはカートリッジ７のようなラベル作成装置本体側に着脱可能なものにも限られず、装置本体側に着脱不能のいわゆる据え付け型あるいは一体型として第１ロール１０２を設けることも考えられる。この場合も同様の効果を得る。
【０２１０】
また、以上既に述べた以外にも、上記実施形態や各変形例による手法を適宜組み合わせて利用しても良い。
【０２１１】
その他、一々例示はしないが、本発明は、その趣旨を逸脱しない範囲内において、種々の変更が加えられて実施されるものである。
【図面の簡単な説明】
【０２１２】
【図１】本実施形態のラベル作成装置を備えたラベル生成システムを表すシステム構成図である。
【図２】ラベル作成装置の全体構造を表す斜視図である。
【図３】ラベル作成装置の内部の内部ユニットの構造を表す斜視図である。
【図４】内部ユニットの構造を表す平面図である。
【図５】カートリッジの詳細構造を模式的に表す拡大平面図である。
【図６】ラベル作成装置の制御系を表す機能ブロック図である。
【図７】無線タグ回路素子の機能的構成を表す機能ブロック図である。
【図８】ラベル生成システムにおいて無線タグラベルを作成する際に、ラベル作成装置の制御回路によって実行される制御内容を表すフローチャートである。
【図９】ステップＳ３００の詳細手順を表すフローチャートである。
【図１０】ステップＳ４００の詳細手順を表すフローチャートである。
【図１１】テンプレートの一例を表す図である。
【図１２】ステップＳ４４０及びステップＳ４６０におけるＰＣの表示部の表示の一例を表す図である。
【図１３】ステップＳ４７０におけるＰＣの表示部の表示の一例を表す図である。
【図１４】ステップＳ４５０において前回のタグラベル作成時に使用したテンプレートを先頭にして複数のテンプレートを表示させた場合のＰＣの表示部の表示の一例を表す図である。
【図１５】無線タグラベルの外観の一例を表す上面図及び下面図である。
【図１６】図１５（ａ）中XVI−XVI′断面による横断面図を反時計方向に９０°回転させた図である。
【図１７】テープ貼り合わせを行わない場合の変形例におけるカートリッジの詳細構造を表す平面図である。
【図１８】テープ貼り合わせを行わない場合の変形例におけるカートリッジの詳細構造を表す平面図である。
【符号の説明】
【０２１３】
１          ラベル作成装置（タグラベル作成装置）
６          カートリッジホルダ（収納体設置部）
７          カートリッジ（無線タグ回路素子カートリッジ、無線タグ回路素子収納体）
１５        切断機構（切断手段）
２３        印字ヘッド（印字手段）
１０１      基材テープ（タグテープ、タグ媒体）
１０１′    感熱テープ（タグテープ、タグ媒体）
１０１″    基材テープ（タグテープ、タグ媒体）
１０１ａ    粘着層（貼り合わせ用粘着剤層）
１０１ａ′  カバーフィルム（被印字層）
１０１ａ″  ベースフィルム（被印字層）
１０２      第１ロール（タグテープロール）
１０３      カバーフィルム（被印字テープ、被印字媒体）
１０４      第２ロール（被印字テープロール）
１０８      テープ送りローラ駆動軸（搬送手段）
１２７      マークセンサ（検出手段）
１５１      ＩＣ回路部
１５２      ループアンテナ（タグ側アンテナ）
ＬＣ        ループアンテナ（アンテナ手段）
Ｓｆ        テンプレート（固定印字領域）
Ｓｖ        可変印字領域
Ｔ          無線タグラベル
Ｔo         無線タグ回路素子
【図１】
2008310738.tif 000003
【図２】
2008310738.tif 000004
【図３】
2008310738.tif 000005
【図４】
2008310738.tif 000006
【図５】
2008310738.tif 000007
【図６】
2008310738.tif 000008
【図７】
2008310738.tif 000009
【図８】
2008310738.tif 000010
【図９】
2008310738.tif 000011
【図１０】
2008310738.tif 000012
【図１１】
2008310738.tif 000013
【図１２】
2008310738.tif 000014
【図１３】
2008310738.tif 000015
【図１４】
2008310738.tif 000016
【図１５】
2008310738.tif 000017
【図１６】
2008310738.tif 000018
【図１７】
2008310738.tif 000019
【図１８】
2008310738.tif 000020